(57)【特許請求の範囲】
【請求項１】
筒状体の第１部分及び第２部分が、軸方向に沿った抜差しによって着脱自在に接続されてなる診療用インスツルメントにおいて、
前記第１部分及び第２部分が接続されたとき、前記第１部分及び第２部分における外装部材の接続端部は突合せ状態とされる構成とされ、
当該接続部分における両外装部材の突合せ面間に生じる軸方向の隙間から径方向外部への前記第１部分及び第２部分間を通過する作用媒体の漏洩を阻止する封止部材を、前記第１部分及び第２部分のいずれか一方の外装部材の接続端部内側に備え、
前記封止部材は、前記接続端部内側に形成された環状凹部に収容され、前記軸方向に伸縮する環状の伸縮部と、該伸縮部の伸縮動作に連動して前記軸方向にスライド可能とされ他方の接続端部側に突出するように配置される環状の遮蔽部とよりなり、
前記第１部分及び第２部分が接続されたとき、他方の外装部材における突合せ面が前記遮蔽部の他方の外装部材側端部に押当して前記伸縮部が軸方向に弾性圧縮され、前記遮蔽部が伸縮部の圧縮反力を受けて前記隙間を封止する位置に維持されるよう構成されていることを特徴とする診療用インスツルメント。
【請求項２】
請求項１に記載の診療用インスツルメントにおいて、
前記伸縮部及び遮蔽部が、伸縮部材及び遮蔽部材の互いに別個の部材からなり、両部材が前記軸方向に近接状態で並設されていることを特徴とする診療用インスツルメント。
【請求項３】
請求項１または２に記載の診療用インスツルメントにおいて、
前記伸縮部が、軸方向に沿って小間隙を隔て配列された薄肉及び細幅且つ同径の複数の金属製環状部と、隣接する環状部同士を繋ぐ繋ぎ部とよりなり、
前記繋ぎ部は、軸方向に隣接する部分の繋ぎ部と、周方向に互いに所定の位相差を以って位置するように形成されていることを特徴とする診療用インスツルメント。
【請求項４】
請求項１乃至３のいずれか１項に記載の診療用インスツルメントにおいて、
前記第１部分が、回転切削工具を回転自在且つ着脱自在に保持する先端ヘッド部と、該先端ヘッド部に連なり手指によって把持される把持部とを備えたハンドピースであり、
前記第２部分が、前記ハンドピースの基部に着脱自在に接続され、前記回転切削工具の動力源としてのモータを内蔵するモータユニットであることを特徴とする診療用インスツルメント。
【請求項５】
請求項１乃至４のいずれか１項に記載の診療用インスツルメントにおいて、
前記作用媒体が、気体及び／又は光であることを特徴とする診療用インスツルメント。
【発明の詳細な説明】
【技術分野】
【０００１】
本発明は、診療用インスツルメント、例えば、回転切削工具を回転自在に備えたハンドピースと、前記回転切削工具の回転動力用モータを内蔵するモータユニットとが着脱自在に接続され、接続状態で両者間に媒体が通過するよう構成される診療用インスツルメントに関するものである。
【背景技術】
【０００２】
診療用インスツルメントの代表例として、歯科診療用インスツルメントを挙げることができる。特許文献１，２及び特許文献３には、このような歯科診療用インスツルメントの例が示されている。特許文献１には、歯科用のタービンハンドピースと回転継手との接続部の構造が開示されている。また、特許文献２には、歯科用ハンドピースにおけるハンドピース本体と、モータケースとの接続部の構造が開示されている。
【０００３】
近時、先端ヘッド部に回転切削工具を回転自在に備えたハンドピースと、前記回転切削工具の回転動力用モータを内蔵するモータユニットとが軸方向に沿った抜差しによって着脱自在に接続されてなる診療用インスツルメントも多用されている。このような診療用インスツルメントの場合、例えば、特許文献３に開示されている医療用ハンドピースのように、モータユニット内のモータの周辺部に冷却用空気が導入されてモータの発熱を抑えるように構成される。さらに、この冷却用空気は、接続部を介してハンドピース内に導入され、ハンドピース内の駆動伝達機構や照明光用の導光路の発熱を抑えるように構成される場合もある。また、モータユニットのハンドピースとの接続端部にＬＥＤ等の光源を配し、ハンドピース内に配設された前記導光路を経て、前記回転切削工具の先端部を照射するように構成される場合もある。
【先行技術文献】
【特許文献】
【０００４】
【特許文献１】実公平７−３６６４６号公報
【特許文献２】実用新案登録第３１０３６２４号公報
【特許文献３】特許第３７５０７９０号公報
【発明の概要】
【発明が解決しようとする課題】
【０００５】
ところで、上述のような診療用インスツルメントの場合、ハンドピースとモータユニットとの接続は、その軸方向に沿った抜差しによってなされる。そして、接続状態を維持すると共に接続を解除するために、フック式のロック・アンロック手段が両者間に設けられる。この場合、ロック・アンロック手段のフック部は、相手側のフック受容部に収まり、被掛止部に確実に掛止される必要がある。一方、ハンドピースの外装部材（外装カバー）とモータユニットの外装部材（外装カバー）とは、突合せ状態で接続される。両者の加工公差の関係で、フック部がフック受容部に収まる前に、両外装カバーが当接すると、ロックが確実になされなくなり、使用中にハンドピースがモータユニットから脱落する恐れが生じる。そのため、加工公差を考慮して、接続状態で両外装カバー間に若干の隙間が生じるように設計される。前記冷却用空気は、モータユニットの外装カバーとモータの周辺部との間から、ハンドピースの外装カバーと駆動伝達機構等の周辺部との間を通過するよう構成されるから、冷却用空気が前記隙間から漏洩し、患者や術者に不快感を与えることがある。また、前記光源は、モータユニット内でのモータとの配置レイアウトとの関係から、モータユニット内の外周部側の接続端部であって、ハンドピース内の導光路の受光端に対向するよう配置される。そのため、ハンドピースとの接続状態において前記隙間より光が漏洩し、術者の作業の障害となったり、或いは、歯科用のインスツルメント場合には、患者が眩しさで不快な思いをしたりすることもある。
【０００６】
特許文献１においては、歯科用タービンハンドピースのスリーブ（外装カバー）の接続部側端部に形成されたばね弾性を有する押込み成形部と、回転継手に形成された環状つば部とによって構成される掛け止め装置が開示されている。しかし、この押込み成形部と環状つば部とは、ハンドピースと回転継手とを軸方向に保持且つ固定するべく機能するものであっても、両者間を通過する前記媒体（空気、光等）の当該接続部分における外部への漏洩を積極的に阻止する機能を奏するものではない。また、特許文献２においては、モータケース側に設けられる圧縮水や圧縮空気の各管路の出口を、ハンドピース本体の軸穴に嵌合される円柱状のインサート部の周面に開口させている。これら出口は、インサート部をハンドピース本体の軸部に嵌合させたときに、ハンドピース本体側のそれぞれの穴に対応するよう形成されている。そして、各出口間のインサート部周体にはリング状のシール材が装着され、前記嵌合状態で各流体の漏れが防止されるように構成されている。しかし、管路を介さずにハンドピース本体内及びモータケース内を流通する冷却空気のような媒体が、接続部から外部へ漏洩することを防止する技術思想は、特許文献２にはない。このような技術思想は、特許文献１にも存在しない。
特許文献３においては、ブラシレスモータを小型化し且つ効率的な冷却を行うよう、コアユニットと外ケースの間、或いはコアユニットとコイルユニットの間に冷却用空気を流通させる構成とされている。しかし、特許文献１，２と同様、前記媒体が装着部から外部へ漏洩することを防止する技術思想は、特許文献３にもない。
【０００７】
而して、前記のようにハンドピースの外装カバーとモータユニットの外装カバーとの間に若干の隙間が不可避的に生じるような接続構造において、この隙間を塞ぐためにＯリング等を用いることは構造上難しく、また、この部分が嵩高くなりハンドリング性を悪くすることにもなる。従来、一方の外装カバーの接続端部にゴムを焼付け塗装し、接続時に両外装カバー間にこのゴムを介在させることによって隙間を塞ぐこともなされていたが、このような焼付け塗装作業は大変煩わしく、実用的ではなかった。前記診療用インスツルメントにおいては、なお上述の問題点が内在し、その抜本的な改良が望まれていた。
【０００８】
本発明は、このような実情に鑑みなされたもので、簡単な構造で、接続対象部分間を通過する作用媒体の接続部分からの漏洩を防止することができる診療用インスツルメントを提供することを目的とする。
【課題を解決するための手段】
【０００９】
本発明に係る診療用インスツルメントは、筒状体の第１部分及び第２部分が、軸方向に沿った抜差しによって着脱自在に接続されてなる診療用インスツルメントにおいて、前記第１部分及び第２部分が接続されたとき、前記第１部分及び第２部分における外装部材の接続端部は突合せ状態とされる構成とされ、当該接続部分における両外装部材の突合せ面間に生じる軸方向の隙間から径方向外部への前記第１部分及び第２部分間を通過する作用媒体の漏洩を阻止する封止部材を、前記第１部分及び第２部分のいずれか一方の外装部材の接続端部内側に備え、前記封止部材は、前記接続端部内側に形成された環状凹部に収容され、前記軸方向に伸縮する環状の伸縮部と、該伸縮部の伸縮動作に連動して前記軸方向にスライド可能とされ他方の接続端部側に突出するように配置される環状の遮蔽部とよりなり、前記第１部分及び第２部分が接続されたとき、他方の外装部材における突合せ面が前記遮蔽部の他方の外装部材側端部に押当して前記伸縮部が軸方向に弾性圧縮され、前記遮蔽部が伸縮部の圧縮反力を受けて前記隙間を封止する位置に維持されるよう構成されていることを特徴とする。
【００１０】
本発明の診療用インスツルメントにおいて、前記伸縮部及び遮蔽部が、伸縮部材及び遮蔽部材の互いに別個の部材からなり、両部材が前記軸方向に近接状態で並設されているものとしても良い。
【００１１】
また、本発明の診療用インスツルメントにおいて、前記伸縮部が、軸方向に沿って小間隙を隔て配列された薄肉及び細幅且つ同径の複数の金属製環状部と、隣接する環状部同士を繋ぐ繋ぎ部とよりなり、前記繋ぎ部は、軸方向に隣接する部分の繋ぎ部と、周方向に互いに所定の位相差を以って位置するように形成されているのとしても良い。
【００１２】
さらに、本発明の診療用インスツルメントにおいて、前記第１部分が、回転切削工具を回転自在且つ着脱自在に保持する先端ヘッド部と、該先端ヘッド部に連なり手指によって把持される把持部とを備えたハンドピースであり、前記第２部分が、前記ハンドピースの基部に着脱自在に接続され、前記回転切削工具の動力源としてのモータを内蔵するモータユニットであっても良い。また、前記作用媒体が、気体及び／又は光であっても良い。
【発明の効果】
【００１３】
本発明によれば、筒状体の第１部分及び第２部分が、軸方向に沿った抜差しによって着脱自在に接続されて診療用インスツルメントが構成される。前記第１部分及び第２部分が接続されたとき、両者間を通過する作用媒体の当該接続部分から外部への漏洩が、封止部材によって阻止される。このとき、封止部材を構成する伸縮部が軸方向に弾性圧縮され、封止部材を構成するスライド可能な遮蔽部が伸縮部の圧縮反力を受けて前記漏洩を阻止する位置に維持される。従って、第１部分及び第２部分の接続操作だけで、前記作用媒体の外部漏洩阻止状態が簡易に達成される。しかも、封止部材は、前記第１部分及び第２部分のいずれか一方の外装部材の接続端部内側に備えられるから、接続部分が嵩張ることがなく、ハンドリング性が悪くなる懸念がない。
【００１４】
また、前記伸縮部及び遮蔽部が、伸縮部材及び遮蔽部材の互いに別個の部材からなり、両部材が前記軸方向に近接状態で並設されているものとすれば、遮蔽部材を簡易に作成することができる。特に、伸縮部材をばね鋼により作製することができるから、伸縮の繰り返しによる伸縮部材のへたり（圧縮永久歪）が生じ難く、製品の長寿命化に寄与する。
【００１５】
さらに、前記伸縮部が、軸方向に沿って小間隙を隔て配列された同径の複数の金属製環状部と、隣接する環状部同士を繋ぐ繋ぎ部とよりなり、前記繋ぎ部は、軸方向に隣接する部分の繋ぎ部と、周方向に互いに所定の位相差を以って位置するように形成されているものとした場合、伸縮部を簡易に調製することができる。特に、金属製環状部が薄肉及び細幅とされるから、伸縮部を一方の外装部材の接続端部内側における限られたスペースに、遮蔽部と共にコンパクトに収めることができる。
【００１６】
また、前記第１部分を、回転切削工具を回転自在に保持する先端ヘッド部と、手指によって把持される把持部とを備えたハンドピースとすれば、把持部を把持し、ヘッド部の回転切削工具を回転させることにより、例えば、歯牙の切削治療等を実施することができる。しかも、回転切削工具は、先端ヘッド部に着脱自在に保持されるから、診療態様に応じた交換やメンテナンスを簡易に実施することができる。また、前記第２部分を、前記ハンドピースの基部に着脱自在に接続され、前記回転切削工具の動力源としてのモータを内蔵するモータユニットとすれば、モータユニットを共通化し、種類の異なるハンドピースを選択装着して、多様な治療態様に適用させることができる。また、オートクレーブによるハンドピースのみの滅菌消毒も容易に行うことができる。さらに、前記作用媒体が、気体及び／又は光である場合、気体及び／又は光の漏洩による前記不快感等の不具合が生じる懸念がない。
【図面の簡単な説明】
【００１７】
【図１】本発明に係る診療用インスツルメントの一例としての歯科診療用インスツルメントの全体構成を示す断面図である。
【図２】同歯科診療用インスツルメントにおいて、ハンドピースに対してモータユニットを差込み装着させる過程を示す断面図である。
【図３】図１におけるＸ部の拡大図である。
【図４】図２におけるＹ部の拡大図である。
【図５】同歯科用インスツルメントにおいて、ハンドピースとモータユニットとを分離した状態の斜視図である。
【図６】同歯科診療用インスツルメントの接続部分の図３及び図４とは異なる破断位置における断面図である。
【図７】同歯科診療用インスツルメントに組み込まれる封止部材の斜視図である。
【発明を実施するための形態】
【００１８】
以下、本発明の診療用インスツルメントの一例としての歯科診療用インスツルメントについて図面に基づき説明する。本実施形態の歯科診療用インスツルメント１０は、先端ヘッド部２と、該先端ヘッド部２に連接される細径のネック部３と、該ネック部３に連接され手指によって把持される把持部４とを備えたハンドピース（第１部分及び第２部分の一方）１と、把持部４の基部に、軸方向に沿って抜差しによって着脱自在に接続されるモータユニット（第１部分及び第２部分の他方）６とによって構成される。モータユニット６は、前記先端ヘッド部２に着脱自在に装着される切削回転工具５を回転駆動させるためのマイクロモータ７を内蔵する。このモータユニット６には、該モータユニット６に内蔵されるマイクロモータ７への電源供給用リード線、チップエア用の給水管路及び圧縮空気供給管路、後記する患部照射用光源の電力供給用リード線、冷却空気の供給管路を内装するホース８が連結されている。
【００１９】
ハンドピース１の把持部４は、前半部が合成樹脂の成型体からなる筒状の把持部外装カバー（外装部材）４０を有している。ハンドピース１は、把持部４の先側にネック部３を介して合成樹脂の成型体からなるヘッドハウジング２ａが連なって、コントラアングル形に形成されている。把持部４内には、把持部４の基部にモータユニット６が接続されたときに、マイクロモータ７の出力軸７１にカップリング部９ａを介して連結される第１駆動伝達軸９が軸回転可能に内装されている。第１駆動伝達軸９の先端のネック部３に至る部分には、屈折部分のギヤ機構１１ａを介して第２駆動伝達軸１１が軸回転可能に連設されさらに、第２駆動伝達軸１１の先端部にはベベルギヤ１１ｂが固設されている。ヘッド部２のヘッドハウジング２ａには、前記切削回転工具５を前記第２駆動伝達軸１１の軸心に直交する軸心回りに回転自在且つ着脱自在に保持する工具保持機構部２ｂが内装されている。前記ベベルギヤ１１ｂは該工具保持機構部２ｂを構成するロータ２ｃのギヤに噛合っている。
【００２０】
前記把持部４には、モータユニット６に設けられた後記する光源（例えば、ＬＥＤ）１２からの光を導光し、ネック部３において、前記切削回転工具５の先端部に向けて照射するよう構成された導光体１３が内装されている。また、把持部４には、図示を省略するが、チップエア用の水管路及び圧縮空気管路が内装され、ネック部３において水と圧縮空気を合流させて、切削回転工具５の先端部に向けてチップエアとして噴出させるようになされている。
【００２１】
モータユニット６は、軸方向に沿ってスライド可能な筒状のモータ部外装カバー（外装部材）６０を有している。該モータユニット６には、前記マイクロモータ７及び前記光源１２が内蔵されると共に、マイクロモータ７用のリード線（不図示）及び光源１２用のリード線１２ａ、制御基板１２ｂが内装されている。マイクロモータ７は、モータ部外装カバー６０と同心的に設置され、光源１２は、モータ７より遠心側で、ハンドピース１との接続端部６Ａに発光部が露出するよう、モータ部外装カバー６０の内側に設けられる。また、モータユニット６には、ハンドピース１に接続されたとき、ハンドピース１内の前記チップエア用水管路及び圧縮空気管路にそれぞれ連結される連通管路（図での符号の図示省略）が配設されている。モータユニット６の基部には、前記ホース８が連結ソケット８０を介して着脱自在に連結される。該ホース８が連結されると、ホース８に内装される前記各供給管路がモータユニット６内の前記連通管路と水密的及び気密的に連結されると共に、前記各電力供給用リード線がモータ７用のリード線（不図示）及び光源１２用のリード線１２ａに電気的導通状態に連結される。また、ホース８には、冷却空気の供給管路８１が内装されており、該ホース８が連結されると、この供給管路８１からの冷却空気は、モータユニット６内においてマイクロモータ７及び光源１２の周辺の空間部分を流通し、ハンドピース１が接続された場合には、接続部を通過してハンドピース１内の前記各駆動伝達機構及び導光体１３の周辺空間部にも及ぶように構成される。このような冷却空気の流通によって、モータユニット６内のマイクロモータ７及び光源１２、ハンドピース１内の前記各駆動伝達機構及び導光体１３の発熱が抑えられる。
【００２２】
次に、ハンドピース１とモータユニット６との接続部の構造について詳細に説明する。モータユニット６の接続端部６Ａには、前記モータ出力軸７１を同心に内装する差込円筒部６１が突設されている。該差込円筒部６１は、前記第１駆動伝達軸９及びカップリング部９ａを同心に内装し、ハンドピース１の接続端部１Ａに開口するようハンドピース１の基部側に形成された断面円形の中空部４１に相互軸回転可能に嵌挿される。この嵌挿によって、モータ出力軸７１が、カップリング部９ａを介して第１駆動伝達軸に９に連結され、これによって、マイクロモータ７から回転切削工具５に至る回転駆動伝達系が確立される。前記差込円筒部６１の周体には、前記連通管路の下流側出口（図での符号の図示省略）が設けられ、該出口は、差込円筒部６１が前記中空部４１に嵌挿されたときには、該中空部４１の内周部に形成された周溝４１ａ，４１ｂに整合するように形成されている。この周溝４１ａ，４１ｂは、ハンドピース１内に配設される前記チップエア用水管路及び圧縮空気管路にそれぞれ連通する。そして、差込円筒部６１における、前記各周溝４１ａ，４１ｂを軸方向に挟む位置にＯリング６１ａ…が装着され、前記連通管路から各周溝４１ａ，４１ｂに連通する部分の気密性及び水密性が図られている。これによって、ネック部３における前記不図示のチップエア噴出口に至るチップエア用作用媒体の管路系が確立される。このような管路系の確立手法は、この種のハンドピースにおいて汎用化されている手法である。
【００２３】
前記ハンドピース１における把持部４の接続端部１Ａ側には、圧縮ばね４３によってモータユニット６側に付勢された位置決用ピン部材４２が、ハンドピース１の軸方向に沿って変位可能且つ抜出不能で、先側部が接続端部１Ａより突出するよう設けられている。一方、モータユニット６の接続端部６Ａには、前記ピン部材４２の先側部を受容する凹部６２が形成されている。前記差込円筒部６１は、前記中空部４１に相互軸回転可能に嵌挿されるが、両者を相互軸回転させながらの嵌挿を伴う接続過程で、その相互の周方向位置において、ピン部材４２と凹部６２とが整合すると、前記圧縮ばね４３の付勢力を受けてピン部材４２が凹部６２に嵌り込み、前記相互軸回転が不能とされる。即ち、ピン部材４２が凹部６２に嵌り込むことによって、ハンドピース１とモータユニット６とが、相互の所定の位置に位置決めされた接続状態とされる。この相互の所定の位置に位置決めされた接続状態では、前記光源１２の発光面が、前記ハンドピース１の接続端部１Ａに露出する前記導光体１３の受光端１３ａに整合する。これによって、光源１２からの光が導光体１３を経てネック部３から回転切削工具５の先端部に向けての照射が可能とされる。ピン部材４２の先側部の一面は傾斜面とされ、これによって、前記凹部６２に対する嵌り込みが円滑になされる。このようなハンドピース１と、モータユニット６との接続状態は、後記するロック・アンロック手段によって維持される。
【００２４】
次に、前記ロック・アンロック手段について説明する。図６は、図３及び図４とは異なる破断位置における接続部の断面図である。図３、図４は、ヘッド部２に装着される回転切削工具５の軸心に沿った面を破断面とする断面図であるが、図６はこれと略９０°異なる破断位置での断面図を示している。図６において、モータユニット６には、接続端部６Ａから軸方向に沿ったアーム部１４ｂ、１４ｂを介して突出する掛止フック部１４ａ，１４ａを有する１対のロック部材１４，１４が、軸対象、且つ、圧縮ばね１５によって遠心方向に付勢された状態で内装されている。また、モータユニット６のモータ部外装カバー６０は、不図示の圧縮ばねによって、矢印ａ方向（ハンドピース１側）に付勢されており、この付勢力に抗して反ａ方向に操作することにより反ａ方向にスライド移動が可能とされている。外装カバー６０の内側内面であって、前記ロック部材１４，１４に対応する位置には、先側（ハンドピース１側）に傾斜したカム面６３ａを有する凹所６３が形成されている。ロック部材１４，１４は、頭部がカムフォロア面となる傾斜面１４ｃ、１４ｃを有する山形に形成され、常時は頭部の傾斜面１４ｃ、１４ｃがカム面６３ａに接した状態で凹所６３内に収まっている。前記外装カバー６０を、外装カバー６０を付勢する前記不図示の圧縮ばねの付勢力に抗して反ａ方向に操作すると、カム面６３ａが、前記頭部の傾斜面１４ｃ、１４ｃに作用して、ロック部材１４，１４が前記圧縮ばね１５，１５の付勢力に抗して求心方向に変位する。これに伴い、掛止フック部１４ａ，１４ａも求心方向に変位する。
【００２５】
前記把持部４の把持部外装カバー４０の接続端部１Ａ側内には、接続端部１Ａに露出する環状基体４５が固設され、該環状基体４５の内周部には、被掛止突起４５ａ及びそのヘッド部２側に隣接するフック受容部４５ｂが形成されている。ハンドピース１とモータユニット６との接続状態では、前記掛止フック部１４ａ，１４ａが、フック受容部４５ｂに受容されると共に被掛止突起４５ａに掛止され、これによって、ハンドピース１とモータユニット６とが分離不能にロックされた接続状態に維持される。そして、前記のようにモータユニット６側のモータ部外装カバー６０を反ａ方向に操作することによって、掛止フック部１４ａ，１４ａを求心方向に変位させると、掛止フック部１４ａ，１４ａの被掛止突起４５ａに対する掛止を解除させることができる。これによって、ハンドピース１とモータユニット６との相互の分離が可能とされる。モータユニット６の前記差込円筒部６１をハンドピース１の中空部４１に強く差込むようにして嵌挿すると、嵌挿過程で、掛止フック部１４ａ，１４ａが被掛止突起４５ａの作用を受けて、前記圧縮ばね１５，１５の付勢力に抗して求心方向に変位する。掛止フック部１４ａ，１４ａが被掛止突起４５ａを超えると、圧縮ばね１５，１５の付勢力によって、掛止フック部１４ａ，１４ａが遠心方向に変位し、フック受容部４５ｂに受容されて被掛止突起４５ａに対して掛止された状態となる。これによって、ハンドピース１とモータユニット６とが接続される。この接続状態は、前記のように、ピン部材４２が凹部６２に嵌まり込むことによって、ハンドピース１とモータユニット６との周方向の相互の位置決めがなされた上で確立される。
【００２６】
前記ロック・アンロック手段を構成するロック部材１４の掛止フック部１４ａは、フック受容部４５ｂに受容され被掛止突起４５ａに確実に掛止される必要がある。一方、ハンドピース１とモータユニット６との接続の際、両者の接続端部１Ａ，６Ａは突合せ状態とされる。掛止フック部１４ａが前記フック受容部４５ｂに受容される前に、接続端部１Ａ，６Ａ同士が当接してしまうと、前記掛止によるロック状態が達成されなくなる。そこで、掛止フック部１４ａを余裕をもって被掛止突起４５ａに掛止し得るよう、接続状態における接続端部１Ａ，６Ａ間に、両者の加工公差も考慮して、小さい隙間ｂ（図３参照）を形成している。そして、この隙間ｂを封止する封止部材１６を、モータユニット６のモータ部外装カバー６０に設けている。以下、この封止部材１６について説明する。
【００２７】
封止部材１６は、伸縮部と遮蔽部とよりなり、本実施形態では、当該伸縮部と遮蔽部が伸縮部材１７及び遮蔽部材１８の互いに別個の部材からなる例が示されているが、これらは一体のものであっても良い。伸縮部材１７は、ばね鋼による円環状部材からなり、軸方向に沿って小間隙を隔て配列された薄肉及び細幅且つ同径の３個の環状部１７ａと、隣接する環状部１７ａ同士を繋ぐ繋ぎ部１７ｂとより構成される。前記繋ぎ部１７ｂは、隣接する環状部１７ａ間では、周方向で１８０°の間隔で２個設けられ、軸方向に隣接する部分の繋ぎ部１７ｂと、周方向に互いに９０°の位相差を以って位置するように形成されている。即ち、第１列の環状部１７ａ及び第２列の環状部１７ａ間の繋ぎ部１７ｂと、第２列の環状部１７ａ及び第３列の環状部１７ａ間の繋ぎ部１７ｂとは、周方向に９０°の位相差を以って形成されている。このような伸縮部材１７の作製は、円環状部材を図７に示すように所定位置を刳抜くことによってなされる。該伸縮部材１７は、この刳抜部１７ｃの存在と繋ぎ部１７ｂの位置関係とにより、ばね鋼からなることとも相俟って、軸方向に弾性的に伸縮する機能を保有することになる。
【００２８】
遮蔽部材１８は、前記伸縮部材１７と略同径の薄肉鋼板（例えば、ステンレス鋼等）製円環状部材からなり、その軸方向片側に周方向に９０°のピッチで４個の押当片１８ａ…が、切欠部１８ｂ…を介して形成されている。各押当片１８ａは、その両側の切欠部１８ｂ，１８ｂによって舌片状に形成され、これによってその自由端側が径方向に撓み性を保有する。舌片状の各押当片１８ａの自由端部には遠心方向に突出する爪部１８ｃが形成されている。前記伸縮部材１７と遮蔽部材１８とは、押当片１８ａが伸縮部材１７に当接する状態で、且つ、遮蔽部材１８がハンドピース１側に位置するよう、前記モータ部外装カバー６０における接続端部６Ａ側の内側部分に組付けられる。前記把持部外装カバー４０における接続端部１Ａ側の部分には、押当リング部材４４が螺合によって固定されている。そして、この押当リング部材４４は、接続端部１Ａに露出する部分であって、ハンドピース１とモータユニット６との接続の際に前記遮蔽部材１８のハンドピース１側の端部１８ｄと対向する位置に、環状の押当面４４ａを有している。
【００２９】
モータ部外装カバー６０の前記内側部分には、伸縮部材１７及び遮蔽部材１８を収容するよう段差状に形成された環状の凹部６４を有している。この収容状態において、伸縮部材１７は、当該凹部６４を構成するホース８側に位置する段壁部分６４ａに接するよう配置され、遮蔽部材１８は、伸縮部材１７とは反対側の端部１８ｄ及びその近傍部分がモータ部外装カバー６０よりハンドピース１側に突出するように配置される。また、前記凹部６４の底面には、前記爪部１８ｃが係止し得る小段部６４ｂが形成され、該爪部１８ｃが小段部６４ｂに係止することにより、遮蔽部材１８のモータ部外装カバー６０からの抜出が阻止される。従って、遮蔽部材１８は、伸縮部材１７の最大収縮位置とこの小段部６４ｂの形成位置との間で軸方向に沿ってスライド可能とされる。遮蔽部材１８は、前記押当片１８ａ…を求心方向に撓ませるようにして、モータ部外装カバー６０に対し接続端部６Ａ側から、爪部１８ｃが小段部６４ｂと伸縮部材１７との間に至るように挿入される。このように挿入した後、押当片１８ａ…の復元により、前記モータ部外装カバー６０からの抜出が阻止されると共に、スライド可能な状態で前記凹部６４に保持される。
【００３０】
ハンドピース１とモータユニット６とは、前記のように接続されるが、この接続の過程で、モータユニット６に備えられた遮蔽部材１８の端部１８ｄに、前記押当リング部材４４の押当面４４ａが当接する。そして、前記ロック・アンロック手段を構成する掛止フック部１４ａが前記被掛止突起４５ａに掛止される過程では、押当面４４ａが端部１８ｄに押当され、この押当力は遮蔽部材１８を介して伸縮部材１７に作用する。伸縮部材１７は、軸方向に沿って伸縮可能とされているから、この押当作用を受けて弾性的に圧縮される。掛止フック部１４ａが受容部４５ｂに受容され、前記被掛止突起４５ａに掛止されることによって、ハンドピース１とモータユニット６との接続が完了したときには、封止部材１６が、前記凹部６４の段壁部分６４ａと押当面４４ａとの間に伸縮部材１７の圧縮反力を伴った状態で弾装される。従って、この接続状態では、遮蔽部材１８が伸縮部材１７の弾性的圧縮反力によって常時押当リング部材４４側に付勢され、端部１８ｄが押当面４４ａに弾接した状態に維持される。これによって、前記隙間ｂが封止され、モータユニット６と、ハンドピース１との接続部を通過する冷却空気或いは光源１２からの光の、この隙間ｂから径方向外部への漏洩が阻止される。
【００３１】
このように封止部材１６は、コンパクトに構成されるから、前記隙間ｂを塞ぐためにＯリング等を用いる場合のような困難性はなく、また、この部分が嵩高くなってハンドリング性が悪くなるようなこともない。さらに、接続端部の一方にゴムを焼付け塗装し、接続時に両接続端部間にこのゴムを介在させる場合のような大変煩わしい事前調製も不要とされる。そして、ハンドピース１は、前記ロック・アンロック手段の簡単な操作でモータユニット６から分離することができるから、オートクレーブでの滅菌消毒も容易に行うことができる。
【００３２】
尚、前記実施形態では、封止部材１６を、モータユニット６側に設けた例を示したが、ハンドピース１側に設けても良い。この場合、伸縮部材１７と遮蔽部材１８の位置関係が逆となり、凹部６４に相当するものがハンドピース１側に設けられ、押当リング部材４４に相当するものがモータユニット６側に設けられることになる。また、封止部材１６によって漏洩が阻止される作用媒体が冷却空気及び光源１２からの光である例について述べたが、これらのいずれか一方であっても良く、或いはその他の作用媒体であっても良い。さらに、歯科診療用インスツルメントを例に採ったが、接続部の外装カバー間に不可避的に隙間が生じ、この隙間からの作用媒体の漏洩を阻止する必要があるような接続部を備えた他の診療用インスツルメントにも本発明を適用し得ることは言うまでもない。加えて、モータユニット６に内蔵されるモータ７を電動式のマイクロモータとしたが、エア式モータであっても良い。また、回転切削工具５を備える診療用インスツルメントを例示したが、例えば、歯科用のスケーラであっても良く、この場合は、第２部分としてのモータユニット６に代え、エア式或いは電動式（超音波）による発振ユニットとすることができる。
【符号の説明】
【００３３】
１                              ハンドピース（第１部分）
１Ａ                            接続端部
６Ａ                            接続端部
１０                            歯科診療用インスツルメント
１６                            封止部材
１７                            伸縮部材（伸縮部）
１７ａ                          環状部
１７ｂ                          繋ぎ部
１８                            遮蔽部材（遮蔽部）
２                              ヘッド部
４                              把持部
５                              切削回転工具
６                              モータユニット（第２部分）
７                              マイクロモータ（モータ）
４０                            把持部外装カバー（外装部材）
６０                            モータ部外装カバー（外装部材）
ｂ                              隙間
【図１】
0005785777.tif 000002
【図２】
0005785777.tif 000003
【図３】
0005785777.tif 000004
【図４】
0005785777.tif 000005
【図５】
0005785777.tif 000006
【図６】
0005785777.tif 000007
【図７】
0005785777.tif 000008